(57)【要約】【課題】パレットなしで隙間なく積まれた荷の荷降ろし作業または荷積み作業を機械化することができ、人手での荷卸しという重作業をなくすことができ、これにより、コンテナの荷降ろしや荷積み作業者の高齢化、及び作業効率の向上にも対応できるものであり、しかも、使用場所等に限定を受けずにいつ、如何なる場所でも作業が可能で、コンテナ特有の搬送の利便性を損なうことなく利用できる。【解決手段】箱体１０内に設ける荷排出もしくは荷積みの荷役装置として、底部にシリンダー１５により前後動可能とした床板１３を配置し、この床板１３上に、係止時には床板１３のみが移動し、移動時には床板１３とともに移動する可動隔壁１２を設け、かつ、シリンダー１５の駆動の機構としてポンプ、作動油タンク、ポンプ駆動用の原動機２３、燃料タンク２５からなる油圧制御機構を箱体１０の前部に配設した。【選択図】        図１
2004149137.tif 000002
【特許請求の範囲】
【請求項１】
箱体内に設ける荷排出もしくは荷積みの荷役装置として、底部にシリンダーにより前後動可能とした床板を配置し、この床板上に、係止時には床板のみが移動し、移動時には床板とともに移動する可動隔壁を設け、かつ、シリンダー駆動の油圧制御機構を箱体の前部に配設したことを特徴とする荷役装置付き輸送用容器。
【請求項２】
油圧制御機構はポンプ、作動油タンク、ポンプ駆動用の原動機、燃料タンクからなる請求項１記載の荷役装置付き輸送用容器。
【請求項３】
床板上の長手方向にレールを設け、可動隔壁をこのレールを跨がせ、レールに沿って移動可能とするとともに、可動隔壁側に接合カムによる一方向阻止のブレーキ機構を設け、これを前記レールに係合させる請求項１または請求項２記載の荷役装置付き輸送用容器。
【発明の詳細な説明】
【０００１】
【発明の属する技術分野】
本発明は、輸送用容器としての、例えばコンテナ等の大きな改造なしに、また、外部やコンテナ内に大がかりな装置を設けることなく、コンテナ内にパレットなしで隙間なく積込まれた荷の荷降ろし作業または荷積み作業を機械化することができ、人手での荷降ろしという重作業をなくすことができ、これにより、コンテナの荷降ろしや荷積み作業者の高齢化、及び作業効率の向上にも対応できる荷役装置付き輸送用容器に関するものである。
【０００２】
【従来の技術】
近年、輸送費や包装費の低減、輸送期間の短縮、荷痛みの防止等の点からコンテナ輸送が増加している。しかし、コンテナは箱型で、ほとんどのコンテナは、出入口が後端１ケ所であるため、荷の積み込み、積み降ろしにクレーン等が使用できない。しかも積載効率を高くしたり荷崩れ防止のため、荷はパレットに乗っていないバラ積み状態で、隙間がなく積んである。このため、荷の移送運搬には、コンベヤやフォークリフト等が使用できるが、荷の取り崩しは手作業に頼っている。
【０００３】
コンテナの荷降ろし作業はコンテナ内の荷をコンテナ外へ移送運搬する作業が必要であるが、チップ等のバラ物では人手に頼る作業となることが多く、重作業であり、作業安全上好ましくない。特に近年の作業者の高齢化にともない、腰痛対策から腰を痛める作業をなくした荷役装置が必要である。従来この条件に合うものとしてクレーンがあるが、コンテナには取付困難また作業スピードが遅いといった欠点がありコンテナには使用されていない。
【０００４】
荷の積み降ろしまたは積み込みを行う荷役装置付きコンテナとして、発明者は先に下記の出願を行った。
【０００５】
【特許文献１】
特願２０００−３０７７１３号（特開２００２−１１４２９０）
【０００６】
これは図１１に示すように、コンテナ外殻である箱体１０内に、荷排出装置として前後方向に移動する可動隔壁１２、もしくはこれに加えて、可動隔壁１２の下方に敷設する前後動可能とした床板１３を設けたものである。
【０００７】
前記特許文献１では、前記可動隔壁１２は床板１３とは支持板１２ａが接するだけで載置されており、多段伸縮のいわゆるテレスコピックシリンダー１４を箱体１０との間に設けて、このテレスコピックシリンダー１４により前後方向に移動可能とした。一方、床板１３と箱体１０との間には往復運動するシリンダー１５を設け、このシリンダー１５で床板１３を前後方向に動かせるようにする。
【０００８】
シリンダー１５により床板１３を前後方向に動かし、第１段階として、床板１３が荷の排出口１１の方向（往路方向）に移動する場合には床板１３上の荷もこれにより運ばれるようにともに移動する。また、テレスコピックシリンダー１４を伸長させて可動隔壁１２を床板１３と同期させて荷の排出口１１の方向（往路方向）に移動させる。
【０００９】
次に、第２段階として、テレスコピックシリンダー１４を固定することで可動隔壁１２を固定して荷をその場に止め、シリンダー１５により床板１３のみを反荷排出口方向（復路方向）に移動させる。以下、前記第１段階、第２段階を順次、繰り返して、可動隔壁１２および荷を排出口１１へと移動させ、排出口１１から荷をコンテナ外へ排出する。
【００１０】
なお、箱体１０に対して可動隔壁１２を固定する固定手段１６として前記テレスコピックシリンダー１４に代えて、図１２に示すように箱体１０の側板上に設け、一方可動隔壁１２の上部左右端に係止突起１７ａに掛止する振り子式またはシーソー式のロックバー１７ｂを設けて構成してもよい。
【００１１】
このようにコンテナは荷役装置を備えるものであり、チップ等のバラ物を始めとして、コンテナ内にパレットなしで隙間がなく積込まれた荷の荷降ろし作業を機械化することができる。そして、コンテナは外殻である箱体内に荷排出装置もしくは荷積み装置として前後方向に移動する可動隔壁を設けていて、荷排出の場合はこの可動隔壁でチップその他の荷を荷排出口方向に移動させ、コンテナ外へ排出でき、荷積みの場合はこの可動隔壁で荷を奥側に送り込み、コンテナの大きな改造なしに、また、外部に大がかりな装置を設けることなくコンテナ内にパレットなしで隙間がなく積まれた荷の荷降ろし作業または荷積み作業を機械化することが可能となる。
【００１２】
【発明が解決しようとする課題】
ところで、このような荷役装置付きコンテナでは少なくとも床板１３を前後方向に動かすためのシリンダー１５の駆動機構をどのようにするかが問題となる。一方、従来から、コンテナはその搬送性からきわめてシンプルなものが望ましいとされ、内部には何もない箱体であるので、エネルギーとしての電力、油圧の確保は他から行う他なかった。
【００１３】
例えば、トラック荷台であるトレーラーに油圧等の駆動装置を設け、これに接続することなどや自動車その他による発電電力等を利用することも考えられなくはないが、それでは駆動力確保のために荷役を行う場所が限定されてしまう。
【００１４】
本発明の目的は前記従来例の不都合を解消し、パレットなしで隙間なく積まれた荷の荷降ろし作業または荷積み作業を機械化することができ、人手での荷降ろしという重作業をなくすことができ、これにより、コンテナの荷降ろしや荷積み作業者の高齢化、及び作業効率の向上にも対応できるものであり、しかも、使用場所等に限定を受けずにいつ、如何なる場所でも作業が可能で、コンテナ特有の搬送の利便性を損なうことなく利用できる荷役装置付きコンテナを提供することにある。
【００１５】
【課題を解決するための手段】
本発明は前記目的を達成するため、第１に、箱体内に設ける荷排出もしくは荷積みの荷役装置として、底部にシリンダーにより前後動可能とした床板を配置し、この床板上に、係止時には床板のみが移動し、移動時には床板とともに移動する可動隔壁を設け、かつ、シリンダー駆動の油圧制御機構を箱体の前部に配設したこと、第２に、油圧制御機構はポンプ、作動油タンク、ポンプ駆動用の原動機、燃料タンクからなること、第３に、床板上の長手方向にレールを設け、可動隔壁をこのレールを跨がせ、レールに沿って移動可能とするとともに、可動隔壁側に接合カムによる一方向阻止のブレーキ機構を設け、これを前記レールに係合させることを要旨とするものである。
【００１６】
請求項１記載の本発明によれば、コンテナの箱体内の床板上に載置されチップ等の積み荷を荷降ろしするには、床板とともに可動隔壁と積み荷を移動する移送段階と、可動隔壁を係止することで積み荷の後退を阻止しながら床板のみを後退させる停止段階を順次繰り返すことにより、可動隔壁と積み荷と、床板との相対位置を変化させ、後部の積み荷から順に箱体の外方へ送り出す。
【００１７】
そして、床板を前後動させるシリンダーの駆動はこれを箱体の前部に配設した油圧制御機構により行うことができ、他から動力を得る必要はない。
【００１８】
請求項２記載の本発明によれば、前記作用に加えて、油圧制御機構をポンプ、作動油タンク、ポンプ駆動用の原動機、燃料タンクからなるものとすることで、全く自己完結的にコンテナ独自で作業を行うことが可能となる。
【００１９】
請求項３記載の本発明によれば、一方向阻止の摩擦ブレーキ機構により可動隔壁は床板が移動する際に荷の圧力を受けてずれてしまうことなく、一体的に移動でき、しかもこの摩擦ブレーキ機構は可動隔壁を固定して床板のみを移動させる場合には解除させることができる。また、可動隔壁は床板との相対的移動においてはレールに沿って行うの左右のぶれのない安定した動きを確保できる。
【００２０】
【発明の実施の形態】
以下、図面について本発明の実施の形態を詳細に説明する。図１は本発明の荷役装置付きコンテナの第１実施形態を示す縦断側面図、図２は同上横断平面図、図３は同上縦断正面図、図中１０はコンテナ外殻である箱体を示し、後端を排出口１１としている。
【００２１】
本発明も前記従来例と同じく、箱体１０内に荷排出装置もしくは荷積み装置として前後方向に移動する可動隔壁１２を設け、さらに、可動隔壁１２の下方に敷設する前後動可能とした床板（スライドプレート）１３を敷設した。
【００２２】
可動隔壁１２は鋼製であり、箱体１０が直方体であるとして、排出口１１に平行する向きで配置される。また、可動隔壁１２は下方がより前方に張出す傾斜面１２ｃを排出口１１に向く側に有するものとした。また、床板１３も鋼製もしくはステンレス製で、比較的薄いものでよい。
【００２３】
前記可動隔壁１２は床板１３とは下面が接するだけで載置されており、一方、床板１３と箱体１０との間には往復運動するシリンダー１５を設ける。
【００２４】
箱体１０の前部に、シリンダー１５を駆動する油圧制御機構として、ポンプ２２、作動油タンク２４、ポンプ駆動用の原動機２３、燃料タンク２５を設けた。なお、図示は省略するがこの油圧制御機構を設置する箱体１０の前部とその後方は仕切り壁等で区画することも可能である。
【００２５】
また、第１の回転体（ガイドローラ）１ａ、第２の回転体１ｂを可動隔壁１２の下部に壁幅方向に離間させて設け、さらに、この第１の回転体１ａに近接させて第３の回転体１ｃを、第２の回転体１ｂに近接させて第４の回転体１ｄを設け、箱体１０の後端側に一端を固定し、前端側に他端を固定する第１のチェーン２ａの途中を前記第１の回転体１ａ、および第４の回転体１ｄに掛渡して張設し、箱体１０の前端側に一端を固定し、後端側に他端を固定する第２のチェーン２ｂの途中を第２の回転体１ｂ、第３の回転体１ｃに掛渡して張設する。
【００２６】
図６に示すように、かかる第１のチェーン２ａ、第２のチェーン２ｂに、チェーンの連続環体の１つを嵌合させる凸部４を適宜間隔で周設したスプロケット３ａを配設した。図中２２は第１のチェーン２ａ、第２のチェーン２ｂをスプロケット３ａに押し付けるような曲面を有するガイドである。
【００２７】
同様に、第１の回転体（ガイドローラ）９ａ、第２の回転体９ｂを可動隔壁１２の下部に壁幅方向に離間させて設け、さらに、この第１の回転体９ａに近接させて第３の回転体９ｃを、第２の回転体９ｂに近接させて第４の回転体９ｄを設けた。これら第１の回転体９ａ〜第４の回転体９ｄの４個組は、前記第１の回転体１ａ〜第４の回転体１ｄの４個組に対応するものであり、第１の回転体１ａと９ａ、第２の回転体１ｂと９ｂ、第３の回転体１ｃと９ｃ、第４の回転体１ｄと９ｄはぞれぞれ同軸をもって上下段の位置関係にある。
【００２８】
前記床板１３の後端側に一端を固定し、前端側に他端を固定する第１のチェーン２０ａの途中を前記第１の回転体９ａ、および第４の回転体９ｄに掛渡して張設する。また、前記床板１３の前端側に一端を固定し、後端側に他端を固定する第２のチェーン２０ｂの途中を第２の回転体９ｂ、第３の回転体９ｃに掛渡して張設する。第１のチェーン２０ａ、第２のチェーン２０ｂ間に、チェーンの環体穴に係合する凸部４を適宜間隔で周設したスプロケット３ｂを配設した。
【００２９】
なお、第１のチェーン２ａ、第２のチェーン２の端を床板１３側に固定し、第１のチェーン２０ａ、第２のチェーン２０ｂの端を箱体１０側に固定するようにしてもよい。
【００３０】
図７に示すように、スプロケット３ａ，３ｂの回転軸５に回転係止機構としてギヤ７とこれに係合可能な係止カム８を設けた。この係止カム８はギヤ７の凹部７ａに対して係合状態でも逆向き回転（時計回りの回転方向または反時計回りの回転方向の何れか一方の回転）は許容するような爪８ａ，８ｂを有する。この爪８ａ，８ｂはギヤ７に対して相互に反対の回転阻止するものであり、いずれも回転を許容する場合は凹部７ａから離脱するような動きとなる。図中８ｃは係止カム８の手動操作レバーで、爪８ａ、８ｂの凹部７ａに対する係止選択をこれで行う。
【００３１】
また、図示は省略するが、  油圧モータ等の回転駆動機構によりスプロケット３ｂを回転させ、それによりスプロケット３ｂの第１のチェーン２０ａ、第２のチェーン２０ｂとの係合位置を積極的に変化させ、シリンダー１５により床板１３を移動させる際にこの床板１３に同期させて可動隔壁１２を動かすようにすることもできる。その場合の油圧モータ等の回転駆動機構の駆動に、前記ポンプ２２、作動油タンク２４、ポンプ駆動用の原動機２３、燃料タンク２５からなる油圧制御機構を使用できる。
【００３２】
図８、図９に示すように、床板１３上中央の長手方向に断面Ｔ字形のレール２６を設け、可動隔壁１２はこのレール２６を跨がせ、レール２６に沿って移動可能とした。なお、この図８、図９においては前記第１の回転体（ガイドローラ）９ａ〜第４の回転体９ｄと第１のチェーン２０ａ、第２のチェーン２０ｂと第１のチェーン２ａ、第２のチェーン２ｂは省略している。
【００３３】
そして、可動隔壁１２側に、前記レール２６に対する接合カム２７ａ，２７ｂによる一方向阻止の摩擦ブレーキ機構２７を設ける。これら接合カム２７ａ，２７ｂは図１０に示すように、軸２８を中心に傾動するアーム２９の先端に対として軸着するものであり、レール２６に対してアーム２９が直交する向きになるときには、レール２６とのあいだに平行する同幅の隙間を形成している。
【００３４】
アーム２９を軸２８を中心に僅かに傾かせることにより、接合カム２７ａ，２７ｂのいずれか一方が傾いた状態でレール２６に接合し、これが一方向阻止の摩擦ブレーキとして作用する。
【００３５】
アーム２９を逆方向に傾かせた場合には、接合カム２７ａ，２７ｂの他の一方が傾いた状態でレール２６に接合し、これが逆向きの一方向阻止の摩擦ブレーキとして作用する。
【００３６】
なお、前記一方向阻止の摩擦ブレーキ機構２７はレール２６を中にしてこれを挟み込むように両側に設けた。
【００３７】
また、レール２６を中にして左右に並ぶ軸２８の上部同士を中央で相互に軸着する操作アーム３０で連結し、この操作アーム３０同士をくの字に屈曲できるようにした。
【００３８】
次に使用法について説明する。本発明のコンテナをトレーラートラックに積んだ状態で荷降ろしをする場合で、コンテナである箱体１０内に積み荷があるとして、排出口１１は開放する。また、可動隔壁１２は箱体１０の前側に位置している。
【００３９】
ポンプ２２、作動油タンク２４、ポンプ駆動用の原動機２３、燃料タンク２５からなる油圧制御機構でシリンダー１５を伸長すれば、床板１３が箱体１０内の前側から後端へ向けて移動し、この床板１３の積み荷および可動隔壁１２もその分だけ移動する。
【００４０】
なお、この状態では、第１のチェーン２ａ，２０ａは前記第１の回転体１ａ，９ａ、および第４の回転体１ｄ，９ｄに途中を巻回されるので、この第１の回転体１ａ，９ａ、および第４の回転体１ｄ，９ｄ間では可動隔壁１２の幅方向に沿って張巡らされ、同様に、第２のチェーン２ｂ，２０ｂは第２の回転体１ｂ，９ｂおよび第３の回転体１ｃ，９ｃに途中を巻回されるので、これら第１のチェーン２ａ，２０ａと第２のチェーン２ｂ，２０ｂにより可動隔壁１２はたすき掛けにされ、第１の回転体１ａ，９ａ、第２の回転体１ｂ，９ｂ、第３の回転体１ｃ，９ｃ、第４の回転体１ｄ，９ｄを支点に可動隔壁１２の左右はともに箱体１０の前後に引張される形となるので、左右に旋回するような動きが阻止されて安定した状態を維持することができる。
【００４１】
また、床板１３とともに可動隔壁１２が動く場合は、係止カム８をギヤ７に係合させてスプロケット３ａを固定し、これにより床板１３とともに可動隔壁１２を固定する。一方、スプロケット３ａはギヤ７の凹部７ａに係止カム８の爪８ａをかませていても、凹部７ａから離脱するような動きとなり、ギヤ７の回転を許容するので、自由に動くことができる。そして、第１の回転体１ａ、第２の回転体１ｂ、第３の回転体１ｃ、第４の回転体１ｄが第１のチェーン２ａと第２のチェーン２ｂを滑り、そのまま第１のチェーン２ａと第２のチェーン２ｂにより可動隔壁１２はたすき掛けにされた状態で移動する。
【００４２】
しかも、操作アーム３０同士をくの字に屈曲させてアーム２９を軸２８を中心に僅かに傾かせることにより、接合カム２７ａ，２７ｂのいずれか一方が傾いた状態でレール２６に接合し、これが一方向阻止の摩擦ブレーキとして作用するので、可動隔壁１２は後戻りするようなことはない。
【００４３】
次に、シリンダー１５を縮小して床板１３が逆方向に移動する場合に、ギヤ７は係止カム８により時計回りの回転が阻止され、これがスプロケット３ａを介して第１のチェーン２ａと第２のチェーン２ｂの動きを止めることになり、その反作用として可動隔壁１２は箱体１０に固定され、積み荷は前端部が可動隔壁１２に固定されているのでそのまま移動せず、床板１３のみが移動してもとに戻る。この場合は、スプロケット３ｂはギヤ７の凹部７ａに係止カム８の爪８ａをかませていても、凹部７ａから離脱するような動きとなり、ギヤ７の回転を許容するので、自由に動くことができる。そして、第１の回転体９ａ、第２の回転体９ｂ、第３の回転体９ｃ、第４の回転体９ｄが第１のチェーン２０ａと第２のチェーン２０ｂを滑り、そのまま第１のチェーン２０ａと第２のチェーン２０ｂにより可動隔壁１２はたすき掛けにされた状態で移動する。
【００４４】
この場合は、摩擦ブレーキ機構２７は作用せず、床板１３と可動隔壁１２の相対的動きを許容する。
【００４５】
このように、▲１▼床板１３の後方への移動とそれに伴う可動隔壁１２と積み荷の移動、▲２▼可動隔壁１２の係止、▲３▼床板１３のみの前方への移動の手順を繰り返して、可動隔壁１２とすべての積み荷を順次床板１３の後方側に移動させ、積み荷は後端のものから箱体１０外へ落下させる。
【００４６】
積み荷をすべて荷降ろしした状態から、再度の荷降ろしに備える、または、荷積みを行うには、可動隔壁１２を床板１３の前部側に移動することが必要となる。
【００４７】
この場合は、手動操作レバー８ｃで係止カム８の爪８ａ、８ｂのギヤ７の凹部７ａに対する係止選択を変更し、凹部７ａに係止カム８の爪８ｂをかませて、ギヤ７の反時計回りの回転を阻止し、時計回りの回転を許容する。
【００４８】
さらに、操作アーム３０同士をくの字に屈曲を逆向きとしてレール２６に接合する接合カム２７ａ，２７ｂの選択を変更する。
【００４９】
このようにして、▲１▼床板１３の前方への移動とそれに伴う可動隔壁１２の移動（積み荷を積み込む場合はその移動も）、▲２▼可動隔壁１２の係止、▲３▼床板１３のみの後方への移動の手順を繰り返して、可動隔壁１２を前側に移動させ、次の荷降ろしに備える。
【００５０】
【発明の効果】
以上述べたように本発明の荷役装置付きコンテナは、パレットなしで隙間なく積まれた荷の荷降ろし作業または荷積み作業を機械化することができ、人手での荷降ろしという重作業をなくすことができ、これにより、コンテナの荷降ろしや荷積み作業者の高齢化、及び作業効率の向上にも対応できるものである。
【００５１】
しかも、使用場所等に限定を受けずにいつ、如何なる場所でも作業が可能で、コンテナ特有の搬送の利便性を損なうことなく利用できるものである。
【図面の簡単な説明】
【図１】本発明の荷役装置付き輸送用容器の第１実施形態を示す縦断側面図である。
【図２】本発明の荷役装置付き輸送用容器の第１実施形態を示す横断平面図である。
【図３】本発明の荷役装置付き輸送用容器の第１実施形態を示す縦断正面図である。
【図４】本発明の荷役装置付き輸送用容器の第１実施形態で可動隔壁の移動を示す縦断側面図である。
【図５】本発明の荷役装置付き輸送用容器の第１実施形態で可動隔壁の移動を示す横断平面面図である。
【図６】第１のチェーン、第２のチェーン間に配設したスプロケットの平面図である。
【図７】スプロケットの回転軸に設ける回転係止機構の平面図である。
【図８】本発明の荷役装置付き輸送用容器の第１実施形態を示す要部の平面図である。
【図９】本発明の荷役装置付き輸送用容器の第１実施形態を示す要部の縦断側面図である。
【図１０】一方向阻止の摩擦ブレーキ機構の要部の平面図である。
【図１１】従来例を示す斜視図である。
【図１２】従来例における可動隔壁を固定する固定手段の他例を示す斜視図である。
【符号の説明】
１ａ…第１の回転体（ガイドローラ）
１ｂ…第２の回転体                    １ｃ…第３の回転体
１ｄ…第４の回転体                    ２ａ…第１のチェーン
２ｂ…第２のチェーン                ３ａ，３ｂ…スプロケット
４…凸部                                        ５…回転軸
７…ギヤ                                        ７ａ…凹部
８…係止カム                                ８ａ，８ｂ…爪
８ｃ…手動操作レバー        ９ａ…第１の回転体
９ｂ…第２の回転体                    ９ｃ…第３の回転体
９ｄ…第４の回転体                    １０…箱体
１１…排出口                                １２…可動隔壁
１２ａ…支持板                            １２ｂ…隔壁板
１２ｃ…傾斜面
１３…床板                                    １４…テレスコピックシリンダー
１５…シリンダー                        １６…固定手段
１７ａ…係止突起                        １７ｂ…ロックバー
２０ａ…第１のチェーン            ２０ｂ…第２のチェーン
２２…ポンプ                                ２３…原動機
２４…作動油タンク                    ２５…燃料タンク
２６…レール                                ２７…摩擦ブレーキ機構
２７ａ，２７ｂ…接合カム        ２８…軸
２９…アーム                                ３０…操作アーム
【図１】
2004149137.tif 000003
【図２】
2004149137.tif 000004
【図３】
2004149137.tif 000005
【図４】
2004149137.tif 000006
【図５】
2004149137.tif 000007
【図６】
2004149137.tif 000008
【図７】
2004149137.tif 000009
【図８】
2004149137.tif 000010
【図９】
2004149137.tif 000011
【図１０】
2004149137.tif 000012
【図１１】
2004149137.tif 000013
【図１２】
2004149137.tif 000014